(57)【要約】      （修正有）【課題】記入にあたって挫折し難く、しかも、携行し易い“お薬手帳ベスト”を提供する。【解決手段】お薬手帳１は、本人の意思表示なしでは把握が容易ではない複数の項目１１が箇条書きで印刷され、さらに、項目１１ごとに、本人の意思表示に相当する複数の選択肢１２、１３が印刷されたページを備えている。このお薬手帳１において、項目１１と、それに対応する各選択肢１２、１３は、同一行に印刷されており、各選択肢１２、１３は、動詞表現となっている。【選択図】図１
0003224185.tif 000002
【実用新案登録請求の範囲】
【請求項１】
本人の意思表示なしでは把握が容易ではない複数の項目が箇条書きで印刷され、さらに、項目ごとに、本人の意思表示に相当する複数の選択肢が印刷されたページを備え、
項目と、それに対応する各選択肢は、同一行に印刷されている
お薬手帳。
【請求項２】
各選択肢は、動詞表現となっている
請求項１に記載のお薬手帳。
【請求項３】
裏に糊面を有し、表に印刷面を有する主シートと、
糊面を保護する保護シートと
を備え、
主シートおよび保護シートは、お薬手帳の１ページの大きさと同じか、または、それよりも小さな大きさとなっており、
印刷面には、本人の意思表示なしでは把握が容易ではない複数の項目が箇条書きで印刷され、さらに、項目ごとに、本人の意思表示に相当する複数の選択肢が印刷されており、
項目と、それに対応する各選択肢は、同一行に印刷されている
シール。
【請求項４】
各選択肢は、動詞表現となっている
請求項３に記載のシール。
【請求項５】
ゴム印と、
ゴム印を支持する支持部と
を備え、
ゴム印は、お薬手帳の１ページの大きさと同じか、または、それよりも小さな大きさの凹凸面を有し、
凹凸面には、本人の意思表示なしでは把握が容易ではない複数の項目が箇条書きで反転して設けられ、さらに、項目ごとに、本人の意思表示に相当する複数の選択肢が反転して設けられており、
項目と、それに対応する各選択肢は、同一行に反転して設けられている
スタンプ印。
【請求項６】
各選択肢は、動詞表現となっている
請求項５に記載のスタンプ印。
【考案の詳細な説明】
【技術分野】
【０００１】  本考案は、“お薬手帳ベスト”に関するものであり、お薬手帳、シールおよびスタンプ印という形態で具現化されるものである。
【背景技術】
【０００２】  近年、病気になった時や死亡してしまった時など自ら意思表示できなくなったときのために、前もって自身に関する要望を書類に残しておくことが行われている。そのような書類の１つとして、エンディングノートが挙げられる。エンディングノートには、例えば、介護や延命治療に対する考え、葬儀や墓についての希望、遺産相続における希望、遺言書を作成又は開示をするか否かに関する情報等が記入される。
【考案の概要】
【考案が解決しようとする課題】
【０００３】  しかし、エンディングノートを書き進める過程で、挫折してしまう人が少なくないという問題があった。また、エンディングノートを完成させた場合であっても、外出先で突然の病気や事故などに遭い、自ら意思表示できなくなってしまったときに、エンディングノートを所持しておらず、その人の要望をすぐに把握することができないことがある、という問題もあった。【０００４】  本考案はかかる問題点に鑑みてなされたもので、その目的は、記入にあたって挫折し難く、しかも、携行し易い“お薬手帳ベスト”を提供することにある。“お薬手帳ベスト”は、お薬手帳、シールおよびスタンプ印という形態で具現化される。
【課題を解決するための手段】
【０００５】  本考案の一実施の形態としてのお薬手帳は、本人の意思表示なしでは把握が容易ではない複数の項目が箇条書きで印刷され、さらに、項目ごとに、本人の意思表示に相当する複数の選択肢が印刷されたページを備えている。このお薬手帳において、項目と、それに対応する各選択肢は、例えば、同一行に印刷されており、各選択肢は、例えば、動詞表現となっている。【０００６】  本考案の一実施の形態としてのシールは、裏に糊面を有し、表に印刷面を有する主シートと、糊面を保護する保護シートとを備えている。主シートおよび保護シートは、お薬手帳の１ページの大きさと同じか、または、それよりも小さな大きさとなっている。印刷面には、本人の意思表示なしでは把握が容易ではない複数の項目が箇条書きで印刷され、さらに、項目ごとに、本人の意思表示に相当する複数の選択肢が印刷されている。このシールにおいて、項目と、それに対応する各選択肢は、例えば、同一行に印刷されており、各選択肢は、例えば、動詞表現となっている。【０００７】  本考案の一実施の形態としてのスタンプ印は、ゴム印と、ゴム印を支持する支持部とを備えている。ゴム印は、お薬手帳の１ページの大きさと同じか、または、それよりも小さな大きさの凹凸面を有している。凹凸面には、本人の意思表示なしでは把握が容易ではない複数の項目が箇条書きで反転して設けられ、さらに、項目ごとに、本人の意思表示に相当する複数の選択肢が反転して設けられている。このスタンプ印において、項目と、それに対応する各選択肢は、例えば、同一行に反転して設けられており、各選択肢は、例えば、動詞表現となっている。
【考案の効果】
【０００８】  本考案の一実施の形態としてのお薬手帳およびシールでは、本人の意思表示なしでは把握が容易ではない複数の項目が箇条書きで設けられており、さらに、項目ごとに、本人の意思表示に相当する複数の選択肢が設けられている。これにより、お薬手帳の所有者は、複数の選択肢の中から１つを選択するだけでよく、その選択の仕方についても、例えば、１つの選択肢を丸で囲むだけでよい。従って、記入にあたって挫折し難い。【０００９】  本考案の一実施の形態としてのスタンプ印では、本人の意思表示なしでは把握が容易ではない複数の項目が箇条書きで反転して設けられており、さらに、項目ごとに、本人の意思表示に相当する複数の選択肢が反転して設けられている。これにより、お薬手帳の所有者は、スタンプ印を用いて転写された複数の選択肢の中から１つを選択するだけでよく、その選択の仕方についても、例えば、１つの選択肢を丸で囲むだけでよい。従って、記入にあたって挫折し難い。【００１０】  ところで、お薬手帳は、通院されている方にとっては、日頃から携行しているものである。また、日頃から通院されていない方にとっても、病気や怪我などの度に、お薬手帳が必要になるため、お薬手帳を日頃から携行することに同意しやすい。そのため、お薬手帳そのものに、記入欄が設けられている場合には、その記入欄に、丸などを記載しておけば、いつでも、自身に関する要望を相手に伝えること可能となる。また、お薬手帳にシールを貼ったり、スタンプ印を押印したりした場合には、シールの貼付やスタンプ印による押印により、お薬手帳に設けられた記入欄に、丸などを記載しておけば、いつでも、自身に関する要望を相手に伝えること可能となる。従って、携行を習慣付けるという点において、お薬手帳は非常に優れている。【００１１】  以上のことから、本考案の一実施の形態としてのお薬手帳、シールおよびスタンプ印では、作成にあたって挫折し難く、しかも、携行し易いという効果がある。
【図面の簡単な説明】
【００１２】
【図１】本考案の一実施の形態としてのお薬手帳の概略構成例を表す図である。
【図２】本考案の一実施の形態としてのシールの概略構成例を表す図である。
【図３】図２の主シールをお薬手帳に貼付した様子を表す図である。
【図４】本考案の一実施の形態としてのスタンプ印の概略構成例を表す図である。
【図５】図４のスタンプ印を用いてお薬手帳に転写した様子を表す図である。
【考案を実施するための形態】
【００１３】  以下、本考案の実施の形態について、図面を参照して詳細に説明する。以下の説明は本考案の一具体例であって、本考案は以下の態様に限定されるものではない。また、本考案は、各図に示す各構成要素の配置や寸法、寸法比などについても、それらに限定されるものではない。
【００１４】＜１．第１の実施の形態＞
［構成］
図１（Ａ）は、本考案の第１の実施の形態としてのお薬手帳１の外観を表している。図１（Ｂ）は、お薬手帳１の、ある特定のページ１０を開いた様子を表している。お薬手帳１は、いつ、どこで、どんなお薬を処方してもらったかを記録しておく手帳である。複数の医療機関を受診する時や、転居した時などに、お薬手帳１を提示するだけで、お薬手帳１の所有者のお薬のことを把握してもらうことが可能である。
【００１５】  お薬手帳１は、お薬の記録の他に、“お薬手帳ベスト”としの役割を有している。具体的には、お薬手帳１は、病気になった時や死亡してしまった時など自ら意思表示できなくなったときのために、前もって自身に関する要望を書き留めるためのページ１０を有している。ページ１０には、本人の意思表示なしでは把握が容易ではない複数の項目１１が箇条書きで印刷されている。ページ１０には、さらに、項目１１ごとに、本人の意思表示に相当する２つの選択肢１２，１３が印刷されている。なお、選択肢の数は、必要に応じて、３つ以上となっていてもよい。項目１１と、それに対応する各選択肢１２，１３は、同一行に印刷されており、各選択肢１２，１３は、動詞表現となっている。
【００１６】  ページ１０には、複数の項目１１として、例えば、ペースメーカ、遺言書、エンディングノート、尊厳死宣言書、生命保険、臓器提供カードおよび延命治療などが印刷されている。また、ページ１０には、ペースメーカに対応する２つの選択肢１２，１３として、例えば、「入っている」、「入っていない」が印刷されている。また、ページ１０には、遺言書に対応する２つの選択肢１２，１３として、例えば、「書いている」、「書いていない」が印刷されている。また、ページ１０には、エンディングノートに対応する２つの選択肢１２，１３として、例えば、「書いている」、「書いていない」が印刷されている。また、ページ１０には、尊厳死宣言書に対応する２つの選択肢１２，１３として、例えば、「書いている」、「書いていない」が印刷されている。また、ページ１０には、生命保険に対応する２つの選択肢１２，１３として、例えば、「入っている」、「入っていない」が印刷されている。また、ページ１０には、臓器提供カードに対応する２つの選択肢１２，１３として、例えば、「ある」、「ない」が印刷されている。また、ページ１０には、延命治療に対応する２つの選択肢１２，１３として、例えば、「する」、「しない」が印刷されている。
【００１７】  なお、ページ１０には、上述した内容以外の内容が印刷されていてもよい。例えば、「家に（こども・介護が必要な人・ペット）がいる」が印刷されていてもよい。この場合には、項目の存在は曖昧であるが、複数の選択肢が同一行に印刷されており、選択肢が動詞表現となっている。
【００１８】［効果］
次に、お薬手帳１の効果について説明する。
【００１９】  近年、病気になった時や死亡してしまった時など自ら意思表示できなくなったときのために、前もって自身に関する要望を書類に残しておくことが行われている。そのような書類の１つとして、エンディングノートが挙げられる。エンディングノートには、例えば、介護や延命治療に対する考え、葬儀や墓についての希望、遺産相続における希望、遺言書を作成又は開示をするか否かに関する情報等が記入される。
【００２０】  しかし、エンディングノートを書き進める過程で、挫折してしまう人が少なくないという問題があった。また、エンディングノートを完成させた場合であっても、外出先で突然の病気や事故などに遭い、自ら意思表示できなくなってしまったときに、エンディングノートを所持しておらず、その人の要望をすぐに把握することができないことがある、という問題もあった。
【００２１】  一方、本実施の形態では、本人の意思表示なしでは把握が容易ではない複数の項目１１が箇条書きで設けられており、さらに、項目１１ごとに、本人の意思表示に相当する複数の選択肢１２，１３が設けられている。これにより、お薬手帳１の所有者は、ページ１０に記載されている複数の選択肢１２，１３の中から１つを選択するだけでよく、その選択の仕方についても、例えば、１つの選択肢を丸で囲むだけでよい。従って、記入にあたって挫折し難い。
【００２２】  ところで、お薬手帳１は、通院されている方にとっては、日頃から携行しているものである。また、日頃から通院されていない方にとっても、病気や怪我などの度に、お薬手帳１が必要になるため、お薬手帳を日頃から携行することに同意しやすい。そのため、お薬手帳１そのものに、記入欄（ページ１０）が設けられている場合には、その記入欄（ページ１０）に、丸などを記載しておけば、いつでも、自身に関する要望を相手に伝えること可能となる。従って、携行を習慣付けるという点において、お薬手帳１は非常に優れている。
【００２３】  以上のことから、お薬手帳１では、作成にあたって挫折し難く、しかも、携行し易いという効果がある。
【００２４】  また、お薬手帳１では、項目１１と、それに対応する各選択肢１２，１３は、同一行に印刷されており、各選択肢１２，１３は、動詞表現となっている。これにより、お薬手帳１の所有者は、項目１１と、それに対応する各選択肢１２，１３を、１つの文章のようにして理解することができる。その結果、お薬手帳１の所有者は、記入の仕方などの説明書がなくても、簡単かつ直感的に記入することができるので、記入の仕方がわからないといった理由による意思表示の未記入を低減することができる。
【００２５】＜２．第２の実施の形態＞
［構成］
図２は、本考案の第２の実施の形態としてのシール２の外観を表している。シール２は、例えば、図３に記載のおくすり手帳１００の所定のページ１１０に、貼り付けるためのシールである。なお、おくすり手帳１００は、いつ、どこで、どんなお薬を処方してもらったかを記録しておく手帳である。複数の医療機関を受診する時や、転居した時などに、お薬手帳１を提示するだけで、お薬手帳１００の所有者のお薬のことを把握してもらうことが可能である。ページ１１０は、例えば、処方されたお薬が記録されたシールを貼り付けるためのページ、または、シール２を貼り付けるための専用のページである。
【００２６】  シール２は、裏に糊面２１Ｂを有し、表に印刷面２１Ａを有する主シート２１と、糊面２１Ｂを保護する保護シート２２とを備えている。主シート２１と保護シート２２とは、互いに積層されており、糊面２１Ｂによって剥離可能に互いに貼り合わされている。シール２をお薬手帳１００のページ１１０に貼り付ける際には、シール２から保護シート２２を剥がして糊面２１Ｂを露出させ、露出した糊面２１Ｂをページ１１０に向けて、主シート２１をページ１１０に貼り付ける。
【００２７】  主シート２１および保護シート２２は、お薬手帳１００の１ページ（例えばページ１１０）の大きさと同じか、または、それよりも小さな大きさとなっている。印刷面２１Ａには、本人の意思表示なしでは把握が容易ではない複数の項目２３が箇条書きで印刷されている。印刷面２１Ａには、さらに、項目２３ごとに、本人の意思表示に相当する２つの選択肢２４，２５が印刷されている。なお、選択肢の数は、必要に応じて、３つ以上となっていてもよい。項目２３と、それに対応する各選択肢２４，２５は、同一行に印刷されており、各選択肢２４，２５は、動詞表現となっている。
【００２８】  印刷面２１Ａには、複数の項目２３として、例えば、ペースメーカ、遺言書、エンディングノート、尊厳死宣言書、生命保険、臓器提供カードおよび延命治療などが印刷されている。また、印刷面２１Ａには、ペースメーカに対応する２つの選択肢２４，２５として、例えば、「入っている」、「入っていない」が印刷されている。また、印刷面２１Ａには、遺言書に対応する２つの選択肢２４，２５として、例えば、「書いている」、「書いていない」が印刷されている。また、印刷面２１Ａには、エンディングノートに対応する２つの選択肢２４，２５として、例えば、「書いている」、「書いていない」が印刷されている。また、印刷面２１Ａには、尊厳死宣言書に対応する２つの選択肢２４，２５として、例えば、「書いている」、「書いていない」が印刷されている。また、印刷面２１Ａには、生命保険に対応する２つの選択肢２４，２５として、例えば、「入っている」、「入っていない」が印刷されている。また、印刷面２１Ａには、臓器提供カードに対応する２つの選択肢２４，２５として、例えば、「ある」、「ない」が印刷されている。また、印刷面２１Ａには、延命治療に対応する２つの選択肢２４，２５として、例えば、「する」、「しない」が印刷されている。
【００２９】  なお、印刷面２１Ａには、上述した内容以外の内容が印刷されていてもよい。例えば、「家に（こども・介護が必要な人・ペット）がいる」が印刷されていてもよい。この場合には、項目の存在は曖昧であるが、複数の選択肢が同一行に印刷されており、選択肢が動詞表現となっている。
【００３０】［効果］
次に、シール２の効果について説明する。
【００３１】  近年、病気になった時や死亡してしまった時など自ら意思表示できなくなったときのために、前もって自身に関する要望を書類に残しておくことが行われている。そのような書類の１つとして、エンディングノートが挙げられる。エンディングノートには、例えば、介護や延命治療に対する考え、葬儀や墓についての希望、遺産相続における希望、遺言書を作成又は開示をするか否かに関する情報等が記入される。
【００３２】  しかし、エンディングノートを書き進める過程で、挫折してしまう人が少なくないという問題があった。また、エンディングノートを完成させた場合であっても、外出先で突然の病気や事故などに遭い、自ら意思表示できなくなってしまったときに、エンディングノートを所持しておらず、その人の要望をすぐに把握することができないことがある、という問題もあった。
【００３３】  一方、本実施の形態では、本人の意思表示なしでは把握が容易ではない複数の項目２３が箇条書きで設けられており、さらに、項目２３ごとに、本人の意思表示に相当する複数の選択肢２４，２５が設けられている。これにより、お薬手帳１００の所有者は、貼り付けたシール２（主シート２１）に記載の複数の選択肢２４，２５の中から１つを選択するだけでよく、その選択の仕方についても、例えば、１つの選択肢を丸で囲むだけでよい。従って、記入にあたって挫折し難い。
【００３４】  ところで、お薬手帳１００は、通院されている方にとっては、日頃から携行しているものである。また、日頃から通院されていない方にとっても、病気や怪我などの度に、お薬手帳１００が必要になるため、お薬手帳を日頃から携行することに同意しやすい。そのため、お薬手帳１００に、シール２（主シート２１）を貼ることにより、お薬手帳１００に記入欄を設けた場合には、その記入欄に、丸などを記載しておけば、いつでも、自身に関する要望を相手に伝えること可能となる。従って、携行を習慣付けるという点において、お薬手帳１００は非常に優れている。
【００３５】  以上のことから、シール２（主シート２１）を貼り付けたお薬手帳１００では、作成にあたって挫折し難く、しかも、携行し易いという効果がある。
【００３６】  また、シール２では、項目２３と、それに対応する各選択肢２４，２５は、同一行に印刷されており、各選択肢２４，２５は、動詞表現となっている。これにより、お薬手帳１００の所有者は、項目２３と、それに対応する各選択肢２４，２５を、１つの文章のようにして理解することができる。その結果、お薬手帳１００の所有者は、記入の仕方などの説明書がなくても、簡単かつ直感的に記入することができるので、記入の仕方がわからないといった理由による意思表示の未記入を低減することができる。
【００３７】＜３．第３の実施の形態＞
［構成］
図４は、本考案の第３の実施の形態としてのスタンプ印３の外観を表している。スタンプ印３は、例えば、図５に記載のおくすり手帳１００の所定のページ１１０に、転写模様４０を形成するための印である。なお、ページ１１０は、例えば、処方されたお薬が記録されたシールを貼り付けるためのページ、または、スタンプ印３を用いて転写模様４０を押印するための専用のページである。転写模様４０は、後述の凹凸面３１の模様を反転させた模様となっている。
【００３８】  スタンプ印３は、ゴム印３１と、ゴム印３１を支持する支持部３２とを備えている。ゴム印３１は、表面に凹凸面３１を有している。ゴム印３１と支持部３２とは、互いに積層されており、例えば接着剤（図示せず）によって互いに貼り合わされている。スタンプ印３をお薬手帳１００のページ１１０に押印する際には、凹凸面３１にインクを塗布し、インクの塗布された凹凸面３１をページ１１０に押しつけることにより、転写模様４０をページ１１０に形成する。
【００３９】  ゴム印３１は、お薬手帳１００の１ページ（例えばページ１１０）の大きさと同じか、または、それよりも小さな大きさの凹凸面３１を有している。凹凸面３１には、本人の意思表示なしでは把握が容易ではない複数の項目３３が箇条書きで反転して設けられている。凹凸面３１には、さらに、項目３３ごとに、本人の意思表示に相当する２つの選択肢３４，３５が反転して設けられている。なお、選択肢の数は、必要に応じて、３つ以上となっていてもよい。項目３３と、それに対応する各選択肢３４，３５は、同一行に反転して設けられており、各選択肢３４，３５は、動詞表現となっている。
【００４０】  凹凸面３１には、複数の項目３３として、例えば、ペースメーカ、遺言書、エンディングノート、尊厳死宣言書、生命保険、臓器提供カードおよび延命治療などが反転して設けられている。また、凹凸面３１には、ペースメーカに対応する２つの選択肢３４，３５として、例えば、「入っている」、「入っていない」が反転して設けられている。また、凹凸面３１には、遺言書に対応する２つの選択肢３４，３５として、例えば、「書いている」、「書いていない」が反転して設けられている。また、凹凸面３１には、エンディングノートに対応する２つの選択肢３４，３５として、例えば、「書いている」、「書いていない」が反転して設けられている。また、凹凸面３１には、尊厳死宣言書に対応する２つの選択肢３４，３５として、例えば、「書いている」、「書いていない」が反転して設けられている。また、凹凸面３１には、生命保険に対応する２つの選択肢３４，３５として、例えば、「入っている」、「入っていない」が反転して設けられている。また、凹凸面３１には、臓器提供カードに対応する２つの選択肢３４，３５として、例えば、「ある」、「ない」が反転して設けられている。また、凹凸面３１には、延命治療に対応する２つの選択肢３４，３５として、例えば、「する」、「しない」が反転して設けられている。
【００４１】  なお、凹凸面３１には、上述した内容以外の内容が反転して設けられていてもよい。例えば、「家に（こども・介護が必要な人・ペット）がいる」が反転して設けられていてもよい。この場合には、項目の存在は曖昧であるが、複数の選択肢が同一行に反転して設けられており、選択肢が動詞表現となっている。
【００４２】  転写模様４０は、凹凸面３１の模様を反転させた模様となっている。具体的には、転写模様４０には、複数の項目３３を反転させた複数の項目４３が箇条書きで設けられている。転写模様４０には、さらに、項目４３ごとに、２つの選択肢３４，３５を反転させた２つの選択肢４４，４５が設けられている。なお、選択肢の数は、必要に応じて、３つ以上となっていてもよい。項目４３と、それに対応する各選択肢４４，４５は、同一行に設けられており、各選択肢４４，４５は、動詞表現となっている。
【００４３】［効果］
次に、スタンプ印３の効果について説明する。
【００４４】  近年、病気になった時や死亡してしまった時など自ら意思表示できなくなったときのために、前もって自身に関する要望を書類に残しておくことが行われている。そのような書類の１つとして、エンディングノートが挙げられる。エンディングノートには、例えば、介護や延命治療に対する考え、葬儀や墓についての希望、遺産相続における希望、遺言書を作成又は開示をするか否かに関する情報等が記入される。
【００４５】  しかし、エンディングノートを書き進める過程で、挫折してしまう人が少なくないという問題があった。また、エンディングノートを完成させた場合であっても、外出先で突然の病気や事故などに遭い、自ら意思表示できなくなってしまったときに、エンディングノートを所持しておらず、その人の要望をすぐに把握することができないことがある、という問題もあった。
【００４６】  一方、本実施の形態では、本人の意思表示なしでは把握が容易ではない複数の項目３３が箇条書きで反転して設けられており、さらに、項目３３ごとに、本人の意思表示に相当する複数の選択肢３４，３５が反転して設けられている。これにより、お薬手帳１００の所有者は、転写により形成された複数の選択肢４４，４５の中から１つを選択するだけでよく、その選択の仕方についても、例えば、１つの選択肢を丸で囲むだけでよい。従って、記入にあたって挫折し難い。
【００４７】  ところで、お薬手帳１００は、通院されている方にとっては、日頃から携行しているものである。また、日頃から通院されていない方にとっても、病気や怪我などの度に、お薬手帳１００が必要になるため、お薬手帳を日頃から携行することに同意しやすい。そのため、お薬手帳１００に、転写模様４０を形成することにより、お薬手帳１００に記入欄を設けた場合には、その記入欄に、丸などを記載しておけば、いつでも、自身に関する要望を相手に伝えること可能となる。従って、携行を習慣付けるという点において、お薬手帳１００は非常に優れている。
【００４８】  以上のことから、転写模様４０を形成したお薬手帳１００では、作成にあたって挫折し難く、しかも、携行し易いという効果がある。
【００４９】  また、スタンプ印３では、項目３３と、それに対応する各選択肢３４，３５は、同一行に反転して設けられており、各選択肢３４，３５は、動詞表現となっている。これにより、お薬手帳１００の所有者は、項目３３を転写することにより得られた項目４３と、項目３３に対応する各選択肢３４，３５を転写することにより得られた各選択肢４４，４５を、１つの文章のようにして理解することができる。その結果、お薬手帳１００の所有者は、記入の仕方などの説明書がなくても、簡単かつ直感的に記入することができるので、記入の仕方がわからないといった理由による意思表示の未記入を低減することができる。
【符号の説明】
【００５０】  １…おくすり手帳、２…シール、３…スタンプ印、１０，１１０…ページ、１１，２３，３３，４３…項目、１２，１３，２４，２５，３４，３５，４４，４５…選択肢、２１…主シート、２１Ａ…印刷面、２１Ｂ…糊面、２２…保護シート、３１…ゴム印、３１Ａ…凹凸面、３２…支持部、４０…転写模様、１００…おくすり手帳。
【図１】
0003224185.tif 000003
【図２】
0003224185.tif 000004
【図３】
0003224185.tif 000005
【図４】
0003224185.tif 000006
【図５】
0003224185.tif 000007